【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
複数のヘッドモジュールと、
前記複数のヘッドモジュールごとのヘッドモジュール情報が取得されるヘッドモジュール情報取得手段と、
前記取得されたヘッドモジュール情報が記憶されるヘッドモジュール情報記憶手段と、
を備え、
前記ヘッドモジュール情報記憶手段は、前記ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、
前記記憶素子を書き込み可能状態とする第１電圧を発生させる第１電圧発生部と、
前記第１電圧発生部と前記入力端子との間に具備されるヒューズと、
前記記憶素子を書き込み禁止状態とする第２電圧を発生させる第２電圧発生部と、
前記第２電圧発生部と前記入力端子との間に具備される抵抗器と、
前記ヒューズを溶断させる電流を前記ヒューズへ流すか否かを切り換えるスイッチ素子と、
前記スイッチ素子の切換を行う切換信号が入力される切換信号入力部と、
を具備する記録ヘッドアッセンブリ。
【請求項２】
前記ヘッドモジュール情報は、前記ヘッドモジュールの記録特性情報を含む請求項１に記載の記録ヘッドアッセンブリ。
【請求項３】
前記ヘッドモジュール情報は、前記ヘッドモジュールが取り付けられる取付部材と前記ヘッドモジュールとの位置合わせに使用される位置検出素子の情報を含む請求項１又は２に記載の記録ヘッドアッセンブリ。
【請求項４】
前記位置検出素子は、前記ヘッドモジュール又は前記取付部材のいずれか一方に取り付けられる磁気センサと、前記ヘッドモジュール又は前記取付部材の他方に取り付けられる磁石とを含んで構成され、
前記位置検出素子の情報は、前記磁石に対応する前記磁気センサの出力特性である請求項３に記載の記録ヘッドアッセンブリ。
【請求項５】
前記記憶素子は、電気配線基板に搭載された状態で電気的にデータの消去及び書き込みをすることができる半導体素子を含む請求項１から４のいずれか１項に記載の記録ヘッドアッセンブリ。
【請求項６】
請求項１から５のいずれかに記載の記録ヘッドアッセンブリを備え、
前記切換信号入力部は、前記記憶素子への前記ヘッドモジュール情報の記憶がされた後に、前記記憶素子を書き込み禁止状態に固定するために、前記ヒューズを溶断させる電流を前記ヒューズへ流すように前記スイッチ素子の切り換えを行う切換信号が入力される画像記録装置。
【請求項７】
前記スイッチ素子の切り換えを行う切換信号が生成される信号生成部と、
前記ヒューズを溶断させて前記記憶素子を書き込み禁止状態に固定するように、前記生成された切換信号を前記切換信号入力部へ供給するスイッチ制御部と、
を備えた請求項６に記載の画像記録装置。
【請求項８】
前記ヘッドモジュールに駆動電圧を供給する駆動電圧供給手段を備え、
前記駆動電圧供給手段は、前記ヘッドモジュールの記録特性情報に基づいてヘッドモジュールごとに駆動電圧を調整する請求項６又は７に記載の画像記録装置。
【請求項９】
前記スイッチ素子は、前記ヒューズと直列接続されたトランジスタであり、
前記スイッチ制御部は、前記トランジスタをオンさせて前記ヒューズへ前記ヒューズを溶断させる電流を流して前記ヒューズを溶断させた後に、前記トランジスタをオフに固定させるように、前記生成された切換信号を前記切換信号入力部へ供給する請求項７に記載の画像記録装置。
【請求項１０】
複数のヘッドモジュールと、
前記複数のヘッドモジュールごとのヘッドモジュール情報が取得されるヘッドモジュール情報取得手段と、
前記取得されたヘッドモジュール情報が記憶されるヘッドモジュール情報記憶手段と、
を備え、
前記ヘッドモジュール情報記憶手段は、前記ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、
前記記憶素子を書き込み可能状態とする第１電圧を発生させる第１電圧発生部と、
前記第１電圧発生部と前記入力端子との間に具備されるヒューズと、
前記記憶素子を書き込み禁止状態とする第２電圧を発生させる第２電圧発生部と、
前記第２電圧発生部と前記入力端子との間に具備される抵抗器と、
前記ヒューズを溶断させる電流を前記ヒューズへ流すか否かを切り換えるスイッチ素子と、
前記記憶素子への前記ヘッドモジュール情報の記憶がされた後に、前記記憶素子を書き込み禁止状態に固定するために、前記ヒューズを溶断させる電流を前記ヒューズへ流すように前記スイッチ素子を動作させる信号が入力される信号入力部と、
前記スイッチ素子の切換を行う切換信号が入力される切換信号入力部と、
を具備する記録ヘッドアッセンブリにおいて、
前記記憶素子への前記ヘッドモジュール情報の記憶がされる記憶工程と、
前記記憶工程の後に、前記ヒューズを溶断させる電流を前記ヒューズへ流すように前記スイッチ素子を切り換える切換信号が入力され、前記記憶素子を書き込み禁止状態に固定する固定工程と、
を含む記録ヘッド調整方法。
【請求項１１】
前記ヘッドモジュールを交換する場合に、前記ヘッドモジュール情報記憶手段のヒューズが交換されるヒューズ交換工程と、
前記ヒューズ交換工程後に、前記交換されたヘッドモジュール情報が前記記憶素子へ記憶される再記憶工程と、
前記再記憶工程の後に、前記交換されたヒューズを溶断させて、前記記憶素子を書き込み禁止状態に固定する再固定工程と、
を含む請求項１０に記載の記録ヘッド調整方法。
【請求項１２】
前記記憶工程及び前記再記憶工程の後に、前記ヘッドモジュールの動作テストが実行されるテスト工程と、
前記固定工程及び前記再固定工程は、前記テスト工程におけるヘッドモジュールの動作テストに合格すると、その後、前記ヒューズを溶断させて、前記記憶素子を書き込み禁止状態に固定する請求項１１に記載の記録ヘッド調整方法。
【手続補正２】
【補正対象書類名】明細書
【補正対象項目名】０００７
【補正方法】変更
【補正の内容】
【０００７】
特許文献２は、記録ヘッドに個々を識別するための識別番号を付与し、記録装置本体側の不揮発性メモリに特定の識別番号を制御するための特性データを記憶しておき、記録ヘッドが装着されているか否かを検出し、記録ヘッドが装着されていることを検出した際に特定の識別番号と装着されている記録ヘッドの識別番号とを比較させるべく、２つの識別番号を表示させ、２つの識別番号が同一であるか否かに応じた操作を行わせ、操作の結果に応じて特性データが変更される記録装置を開示している。
【手続補正３】
【補正対象書類名】明細書
【補正対象項目名】００１５
【補正方法】変更
【補正の内容】
【００１５】
上記目的を達成するために、本発明に係る記録ヘッドアッセンブリは、複数のヘッドモジュールと、複数のヘッドモジュールごとのヘッドモジュール情報が取得されるヘッドモジュール情報取得手段と、取得されたヘッドモジュール情報が記憶されるヘッドモジュール情報記憶手段と、を備え、ヘッドモジュール情報記憶手段は、ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、記憶素子を書き込み可能状態とする第１電圧を発生させる第１電圧発生部と、第１電圧発生部と入力端子との間に具備されるヒューズと、記憶素子を書き込み禁止状態とする第２電圧を発生させる第２電圧発生部と、第２電圧発生部と入力端子との間に具備される抵抗器と、ヒューズを溶断させる電流をヒューズへ流すか否かを切り換えるスイッチ素子と、スイッチ素子の切換を行う切換信号が入力される切換信号入力部と、を具備している。
【手続補正４】
【補正対象書類名】明細書
【補正対象項目名】００１６
【補正方法】変更
【補正の内容】
【００１６】
本発明によれば、ヘッドモジュール情報がヘッドモジュール情報記憶手段に具備される記憶素子へ記憶されると、ヒューズを溶断させて記憶手段をハードウエア的に書込み禁止状態に固定することができるので、記憶素子に記憶されているヘッドモジュール情報が消失することや、書き換えられてしまうことが防止される。
【手続補正５】
【補正対象書類名】明細書
【補正対象項目名】００２２
【補正方法】変更
【補正の内容】
【００２２】
給紙トレイ１２を介して渡し胴３２に受け渡された記録媒体１４は、処理液胴３４のグリッパー８０Ａ，８０Ｂに先端部を挟持され、処理液胴３４に支持されて、処理液胴３４の回転に従って処理液胴３４の外周面に沿って搬送される。
【手続補正６】
【補正対象書類名】明細書
【補正対象項目名】００２９
【補正方法】変更
【補正の内容】
【００２９】
乾燥処理が施された記録媒体１４は、渡し胴６２を介して定着胴６４へ受け渡される。定着胴６４に受け渡された記録媒体１４は、定着胴６４の外周面に保持されて、定着胴６４の回転に従って定着胴６４の外周面に沿って回転搬送される。
【手続補正７】
【補正対象書類名】明細書
【補正対象項目名】００３０
【補正方法】変更
【補正の内容】
【００３０】
定着胴６４により回転搬送される記録媒体１４上に形成された画像は、ヒータ６６により加熱処理が施されるとともに、定着ローラ６８により加圧処理が施される。定着ローラ６８の記録媒体搬送方向下流側に設けられるインラインセンサ８２は、加熱及び加圧による定着処理が施された記録媒体１４（画像）を撮像する手段であり、インラインセンサ８２の撮像結果に基づいて、インクジェットヘッド４８Ｋ，４８Ｃ，４８Ｍ，４８Ｙの吐出異常が判断される。
【手続補正８】
【補正対象書類名】明細書
【補正対象項目名】０１４１
【補正方法】変更
【補正の内容】
【０１４１】
センサ情報の記憶が開始されると（ステップＳ１００）、ヘッドモジュール３４８Ａ（磁石３０２）の認識がされる（ステップＳ１０２）。ヘッドモジュール３４８Ａの認識は、オペレータが対象となるヘッドモジュール３４８Ａの識別番号を入力してもよいし、ヘッドモジュール３４８Ａに取り付けられたバーコード等から自動的に認識してもよい。
【手続補正９】
【補正対象書類名】明細書
【補正対象項目名】０１４２
【補正方法】変更
【補正の内容】
【０１４２】
ヘッドモジュール３４８Ａが認識されると、当該ヘッドモジュール３４８Ａに取り付けられている磁石３０２に対応するセンサ情報が取得され（ステップＳ１０４）、センサ情報がセンサ情報記憶部３０６（ＥＥＰＲＯＭ）に記憶される（ステップＳ１０６）。
【手続補正１０】
【補正対象書類名】明細書
【補正対象項目名】０１５２
【補正方法】変更
【補正の内容】
【０１５２】
（第１態様）：複数のヘッドモジュールと、複数のヘッドモジュールごとのヘッドモジュール情報が取得されるヘッドモジュール情報取得手段と、取得されたヘッドモジュール情報が記憶されるヘッドモジュール情報記憶手段と、を備え、ヘッドモジュール情報記憶手段は、ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、記憶素子を書き込み可能状態とする第１電圧を発生させる第１電圧発生部と、第１電圧発生部と入力端子との間に具備されるヒューズと、記憶素子を書き込み禁止状態とする第２電圧を発生させる第２電圧発生部と、第２電圧発生部と入力端子との間に具備される抵抗器と、ヒューズを溶断させる電流をヒューズへ流すか否かを切り換えるスイッチ素子と、スイッチ素子の切換を行う切換信号が入力される切換信号入力部と、を具備する記録ヘッドアッセンブリ。
【手続補正１１】
【補正対象書類名】明細書
【補正対象項目名】０１５３
【補正方法】変更
【補正の内容】
【０１５３】
かかる態様によれば、ヘッドモジュール情報がヘッドモジュール情報記憶手段に具備される記憶素子へ記憶されると、ヒューズを溶断させて記憶手段をハードウエア的に書込み禁止状態に固定することができるので、記憶素子に記憶されているヘッドモジュール情報が消失することや、書き換えられてしまうことが防止される。
【手続補正１２】
【補正対象書類名】明細書
【補正対象項目名】０１５４
【補正方法】変更
【補正の内容】
【０１５４】
（第２態様）：ヘッドモジュール情報は、ヘッドモジュールの記録特性情報を含む記
録ヘッドアッセンブリ。
【手続補正１３】
【補正対象書類名】明細書
【補正対象項目名】０１５５
【補正方法】変更
【補正の内容】
【０１５５】
かかる態様において、ヘッドモジュールの記録特性情報に基づき、ヘッドモジュールの制御パラメータが変更される態様が好ましい。
【手続補正１４】
【補正対象書類名】明細書
【補正対象項目名】０１５６
【補正方法】変更
【補正の内容】
【０１５６】
（第３態様）：ヘッドモジュール情報は、ヘッドモジュールが取り付けられる取付部材とヘッドモジュールとの位置合わせに使用される位置検出素子の情報を含む記録ヘッドアッセンブリ。
【手続補正１５】
【補正対象書類名】明細書
【補正対象項目名】０１６２
【補正方法】変更
【補正の内容】
【０１６２】
（第６態様）：第１態様から第５態様のいずれかに記載の記録ヘッドアッセンブリを備え、切換信号入力部は、記憶素子へのヘッドモジュール情報の記憶がされた後に、記憶素子を書き込み禁止状態に固定するために、ヒューズを溶断させる電流をヒューズへ流すようにスイッチ素子の切り換えを行う切換信号が入力される画像記録装置。
【手続補正１６】
【補正対象書類名】明細書
【補正対象項目名】０１６３
【補正方法】変更
【補正の内容】
【０１６３】
（第７態様）：スイッチ素子の切り換えを行う切換信号が生成される信号生成部と、ヒューズを溶断させて記憶素子を書き込み禁止状態に固定するように、生成された切換信号を切換信号入力部へ供給するスイッチ制御部と、を備えた画像記録装置。
【手続補正１７】
【補正対象書類名】明細書
【補正対象項目名】０１６５
【補正方法】変更
【補正の内容】
【０１６５】
（第８態様）：ヘッドモジュールに駆動電圧を供給する駆動電圧供給手段を備え、駆動電圧供給手段は、ヘッドモジュールの記録特性情報に基づいてヘッドモジュールごとに駆動電圧を調整する画像記録装置。
【手続補正１８】
【補正対象書類名】明細書
【補正対象項目名】０１６７
【補正方法】変更
【補正の内容】
【０１６７】
（第９態様）：スイッチ素子は、ヒューズと直列接続されたトランジスタであり、スイッチ制御部は、トランジスタをオンさせてヒューズへヒューズを溶断させる電流を流してヒューズを溶断させた後に、トランジスタをオフに固定させるように、生成された切換信号を切換信号入力部へ供給する画像記録装置。
【手続補正１９】
【補正対象書類名】明細書
【補正対象項目名】０１６９
【補正方法】変更
【補正の内容】
【０１６９】
（第１０態様）：複数のヘッドモジュールと、複数のヘッドモジュールごとのヘッドモジュール情報が取得されるヘッドモジュール情報取得手段と、取得されたヘッドモジュール情報が記憶されるヘッドモジュール情報記憶手段と、を備え、ヘッドモジュール情報記憶手段は、ヘッドモジュール情報が記憶され、電気配線基板に搭載された状態で情報の書き込みが可能であり、情報の書き込みが可能な書き込み許可状態と情報の書き込みができない書き込み禁止状態を切り換えるための電圧が印加される入力端子を具備する記憶素子と、記憶素子を書き込み可能状態とする第１電圧を発生させる第１電圧発生部と、第１電圧発生部と入力端子との間に具備されるヒューズと、記憶素子を書き込み禁止状態とする第２電圧を発生させる第２電圧発生部と、第２電圧発生部と入力端子との間に具備される抵抗器と、ヒューズを溶断させる電流をヒューズへ流すか否かを切り換えるスイッチ素子と、記憶素子へのヘッドモジュールの情報の記憶がされた後に、記憶素子を書き込み禁止状態に固定するために、ヒューズを溶断させる電流をヒューズへ流すようにスイッチ素子を動作させる信号が入力される信号入力部と、スイッチ素子の切換を行う切換信号が入力される切換信号入力部と、を具備する記録ヘッドアッセンブリにおいて、記憶素子へのヘッドモジュール情報の記憶がされる記憶工程と、記憶工程の後に、ヒューズを溶断させる電流をヒューズへ流すようにスイッチ素子を切り換える切換信号が入力され、記憶素子を書き込み禁止状態に固定する固定工程と、を含む記録ヘッド調整方法。
【手続補正２０】
【補正対象書類名】明細書
【補正対象項目名】０１７０
【補正方法】変更
【補正の内容】
【０１７０】
（第１１態様）：ヘッドモジュールを交換する場合に、ヘッドモジュール情報記憶手段のヒューズが交換されるヒューズ交換工程と、ヒューズ交換工程後に、交換されたヘッドモジュール情報が記憶素子へ記憶される再記憶工程と、再記憶工程の後に、交換されたヒューズを溶断させて、記憶素子を書き込み禁止状態に固定する再固定工程と、を含む記録ヘッド調整方法。
【手続補正２１】
【補正対象書類名】明細書
【補正対象項目名】０１７１
【補正方法】変更
【補正の内容】
【０１７１】
かかる態様によれば、ヘッドモジュールの交換に合わせて、交換後のヘッドモジュールの情報が記憶され、この交換後のヘッドモジュールの情報が消失してしまうことや、書き換えられてしまうことが防止される。
【手続補正２２】
【補正対象書類名】明細書
【補正対象項目名】０１７２
【補正方法】変更
【補正の内容】
【０１７２】
（第１２態様）：記憶工程及び再記憶工程の後に、ヘッドモジュールの動作テストが実行されるテスト工程と、固定工程及び再固定工程は、テスト工程におけるヘッドモジュールの動作テストに合格すると、その後、ヒューズを溶断させて、記憶素子を書き込み禁止状態に固定する記録ヘッド調整方法。
【手続補正２３】
【補正対象書類名】明細書
【補正対象項目名】０１７３
【補正方法】変更
【補正の内容】
【０１７３】
かかる態様によれば、ヘッドモジュールの動作テストに合格した後に、記憶素子が書き込み禁止状態に固定されるので、動作テストに合格したヘッドモジュールの記憶素子に記憶されているヘッドモジュール情報が消失することや書き換えられることが防止される。